(57)【特許請求の範囲】
【請求項１】
コンクリート型枠（１）の対向する枠板（１ａ、１ａ）間に配設され、この枠板（１ａ、１ａ）間を所定の間隔に保持する棒状セパレータ（２）に嵌め込まれる止水リング（１０）であって、
円環状本体（１１）の外周面に摘み用突起（１２）を設けるとともに、前記円環状本体（１１）の内周面（１１ｂ）他側縁を軸心から外方に広がる傾斜面（１４）としたことを特徴とする止水リング。
【請求項２】
上記突起（１２）を上記円環状本体（１１）の径方向に突出するものとしたことを特徴とする請求項１に記載の止水リング。
【請求項３】
上記突起（１２）を上記円環状本体（１１）の外周面（１１ａ）一側に設けたことを特徴とする請求項１又は２に記載の止水リング。
【請求項４】
上記円環状本体（１１）の内周面（１１ｂ）一側に軸方向に伸びる円環状突起（１３）を設け、この突起（１３）の内周面は上記セパレータ（２）の外周面に圧接することを特徴とする請求項１乃至３の何れか一つに記載の止水リング。
【発明の詳細な説明】
【技術分野】
【０００１】
この発明は、コンクリート型枠の対向する枠板間に配設され、この枠板間を所定の間隔に保持する棒状セパレータに嵌め込まれる止水リングに関するものである。
【背景技術】
【０００２】
鉄筋コンクリート建造物等のコンクリート構造物は、例えば、図５に示すように、まず、対の枠板１ａ、１ａを並行に配設してコンクリート型枠１を形成し、つぎに、この枠板１ａ、１ａ内にコンクリートａを打設することによって構築される。このとき、両枠板１ａ、１ａの間に棒状セパレータ２を設け、このセパレータ２でもって、型枠１の所定寸法を保持し、対向する枠板１ａ、１ａ間の間隔を一定に保つようにしている（特許文献１図１参照）。
このとき、セパレータ２を配筋３に結束しない態様として、図５（ａ）、（ｂ）に示すものがあり、セパレータ２を配筋３に結束する態様として、同図（ｃ）に示すものがある。図中、５はピー（Ｐ）コン、６は締付けナット（ホームタイ（登録商標））であり、このＰコン５とナット６によってセパレータ２でもって枠板１ａを所定寸法に保持する。
【０００３】
このセパレータ２を使用したコンクリート構造物の構築時、コンクリートａは流動物であり、コンクリートａの打設後、そのコンクリートａが硬化に伴って体積収縮（ブリージング）するため、コンクリートａ内に埋設されたセパレータ２の下部とコンクリートａ間に隙間が生じやすい。この隙間を通ってコンクリートの一方側から他方側に向けて水が侵入することとなり、漏水の原因となる。
この漏水を防止するため、図５に示すように、そのセパレータ２に止水リング４を嵌め、その止水リング４をコンクリートａ内に埋設し、その埋設された体積膨張機能のある止水リング４でもって、仮に、上記セパレータ２とコンクリートａ間に隙間が生じ、その隙間を通ってコンクリートａの一方側から他方側に向けて水が侵入してきても、その止水リング４によってその水の侵入を阻止して止水するようにしている（特許文献１段落０００２、図１参照）。
【先行技術文献】
【特許文献】
【０００４】
【特許文献１】特開２００９−１７４１８７号公報
【発明の概要】
【発明が解決しようとする課題】
【０００５】
通常、上記止水リング４は手（指）でもってセパレータ２に嵌め込まれて中間等の所定位置まで移動させている（図５参照）。一方、図５から理解できるように、型枠１に設けられるセパレータ２は数多いものであり、当然に、そのセパレータ２に取付けられる止水リング４の数も多くなる。このとき、セパレータ２にはその両端に転造ねじを加工するために潤滑油が付いているため、作業者の手にその潤滑油が付着し、止水リング４を円滑に摘むことができず、止水リング４を円滑にセパレータ２に嵌めにくくなっている。すなわち、作業性が悪い問題が生じている。
【０００６】
この発明は、上記実状の下、止水リング４のセパレータへの取付作業性を向上させることを課題とする。
【課題を解決するための手段】
【０００７】
上記課題を達成するため、この発明は、止水リングの本体外周面に摘み用突起を設けることとしたのである。
止水リング本体の外周面に突起があれば、その突起に指を容易に引っかけて滑り止めができるため、その指に潤滑油が付着しても、容易に止水リングを摘んで装着し易いように変形させることができ、セパレータに嵌め込んで所定の位置に装着させることができる。
【０００８】
この発明の具体的な構成としては、コンクリート型枠の対向する枠板間に配設され、この枠板間を所定の間隔に保持する棒状セパレータに嵌め込まれる止水リングであって、円環状本体の外周面に摘み用突起を設けた構成を採用することができる。
このとき、摘み用突起が円環状本体の径方向に突出したものとすれば、その突起を摘み易く、円環状本体内周面開口も開き易く、この止水リングを嵌め込み易く格段に作業効率が向上する（図１〜図３参照）。また、その突起を円環状本体の外周面一側に設ければ（図１〜図３参照）、摘んで撓ます力がその一側に集中して止水リング本体が撓み易くなる。このため、止水リングをセパレータにより容易に嵌め込んで所定の位置に装着させることができる。
また、上記円環状本体の内周面一側に軸方向に伸びる円環状突起を設け、この突起の内周面はセパレータの外周面に圧接するものとすれば、セパレータへの止水リングの取付強度を向上し得るとともに、上記セパレータとコンクリート間の隙間を通ってコンクリートの一方側から他方側に向けて侵入した水が伝う止水リングの外面沿面距離を長くして水侵入を阻止することができる。
さらに、円環状本体の内周面他側縁を軸心から外方に広がる傾斜面（テーパ面）とすれば、このテーパ面となった開口部が開き易くなるため、この大きく開いた開口部から止水リングをセパレータに円滑に嵌め込む（装着する）ことができる。
【発明の効果】
【０００９】
この発明は、以上のように摘み用突起を設けたので、指が滑り易くなっても、止水リングのセパレータへの取付作業性の低下を招く可能性を低減できる。
【図面の簡単な説明】
【００１０】
【図１】この発明に係る止水リングの一実施形態の斜視図
【図２】同実施形態の断面図
【図３】（ａ）、（ｂ）は他の各実施形態のそれぞれ断面図
【図４】（ａ）、（ｂ）はさらに他の各実施形態のそれぞれ断面図
【図５】（ａ）〜（ｃ）はコンクリート構造物の各例の概略断面図
【発明を実施するための形態】
【００１１】
この発明の一実施形態を図１、図２に示し、この止水リング１０は、従来と同様に、ゴム等の水膨張性材料からなり、断面四角状のリング状（円環状）本体１１の外周面１１ａ一側全周に径方向（図２の上下方向）に突出する鍔状突起１２を設けるとともに、リング状本体１１の内周面一側１１ｂ全周に軸方向（図２の左右方向）に突出する鍔状突起１３を設けている。また、リング状本体１１の内周面１１ｂの他側縁は軸心から外方に広がる傾斜面（テーパ面）とした面取り１４がなされている。
両突起１２、１３の断面形状は、その各突起１２，１３の作用を発揮する限りにおいて任意であり、例えば、三角状、四角状、半円状、半楕円状等が考えられる。また、突起１２は全周全長に無くても周囲間歇的でもよく、その間欠的は、下記作用が発揮できれば突起１２が一つでも良い。その突起１２、１３の各部の寸法は、例えば、セパレータ２の棒状径が６ｍｍ（称呼８ｍｍ用）の場合、図２に示す寸法とする。
【００１２】
この止水リング１０も、従来と同様に、図５（ａ）〜（ｃ）に示す態様等の種々のコンクリート構造物に採用され、セパレータ２に嵌め込み装着する際、円環状突起１２の両側面を挟むように指で摘んで、図２鎖線で示すように屈曲させて内周面１１ｂの他側を拡げてセパレータ２にその一端から嵌め込む。その止水リング１０の嵌め込みは面取り１４側開口（図２右側開口）から行なう。
このとき、指に潤滑油が付着して滑り易くなっていても、突起１２でもって容易に止水リング１０を摘んで変形できてセパレータ２に嵌め込んで所定の位置に移動させることができる。また、突起１２がリング状本体１１の径方向に突出しているため、面取り１４側開口が開き易く、嵌め込み易い。
【００１３】
セパレータ２に嵌められた止水リング１０は、コンクリートａ内の水を吸収して膨張し、内周面１１ｂが縮径してセパレータ２に強固に圧接し、その界面を通した水の侵入を有効に阻止する。このとき、内周面１１ｂの突起１３もセパレータ２外周面全周に圧接するため、その突起１３を有しない止水リング４に比べて、セパレータ２への止水リング１０の取付強度が高いものとなる。
また、仮に、セパレータ２とコンクリート間に隙間が生じ、その隙間を通ってコンクリートａの一方側から他方側に向けて水が侵入してきても、その止水リング１０によってその水の侵入を阻止して止水する。このとき、外周面１１ａの突起１２及び内周面１１ｂの突起１３によって、止水リング１０の外周面を伝う沿面距離が長くなっているため、その水が止水リング１０を乗り越える可能性は極めて低くなり、止水効果は、突起１２、１３を有しない止水リング４に比べれば、優れたものである。
【００１４】
上記外周面１１ａの突起１２は、図３（ａ）の鎖線に示すように、その外周面１１ａの他側にも設けたり、その中程に設けたり、他側のみに設けたりすることができ、また、同図に示すように、内周面１１ｂの突起１３は省略することもできる。さらに、図４に示すように、その外周面１１ａから一側軸方向に突出するものとすることができ、このとき、外周面１１ａから径方向に突出させたり（同図（ａ））、外周面１１ａとその外面が面一としたり（同図（ｂ））、外周面１１ａより少し径方向内側に設けたり（同図（ａ）の鎖線）することができる。
このように、突起１２、１３の形成位置や有無（突起１３のみ）はその作用効果を発揮し得る限りにおいて、任意である。さらに、セパレータ２の径が７ｍｍ（称呼９ｍｍ用）の場合は、例えば、各部分の寸法は図３（ｂ）に示すものとすることができる。
【符号の説明】
【００１５】
１  型枠
１ａ  枠板
２  セパレータ
３  配筋
４  止水リング
５  木コン
６  締付けナット
１０  止水リング
１１  リング状（円環状）本体
１１ａ  リング本体外周面
１１ｂ  リング本体内周面
１２  外周面の突起
１３  内周面の突起
１４  面取り（テーパ面）
【図１】
0005586105.tif 000002
【図２】
0005586105.tif 000003
【図３】
0005586105.tif 000004
【図４】
0005586105.tif 000005
【図５】
0005586105.tif 000006